(57)【要約】【課題】  ディスク装置の大型化を抑制しつつ、内蔵クランパを内包したカートリッジと内包しないカートリッジ及びベアディスクの何れにも対応してディスクをクランプし記録再生を行うことができるようにする。【解決手段】  ディスク受け部３に対向配置されたクランパ１０と、クランパをディスク受け部の回転軸Ｌｍ方向へ移動可能に保持するクランパホルダ２０と、ディスクＤｂのクランプ状態とクランプ解除状態とを切り換える切換手段とを備え、クランパは、クランプ状態でディスクをディスク受け部に押圧する押圧部１１と、クランパホルダが離間する際にクランパホルダに保持される被保持部１２と、該被保持部と押圧部とを回転軸方向に相対変位可能に連繋する連繋部１３とを備えており、ディスクがクランプされる際には、連繋部が被保持部と押圧部とを初期位置に保った状態でクランプすることを特徴とする。【選択図】図１
2007128582.tif 000002
【特許請求の範囲】
【請求項１】
モータの駆動力で回転し情報媒体としてのディスクを受け合うディスク受け部に対向配置されたクランパと、
前記クランパを前記ディスク受け部の回転軸方向へ移動可能に保持するクランパホルダと、
該クランパホルダと前記ディスク受け部とを前記回転軸方向へ相対的に移動させ、前記クランパホルダと前記ディスク受け部との間に位置するディスクのクランプ状態とクランプ解除状態とを切り換える切換手段と、を備え、
前記クランパは、前記クランプ状態で前記ディスクを前記ディスク受け部に押圧する押圧部と、前記クランパホルダが前記ディスク受け部から前記回転軸方向へ相対的に離間する際に前記クランパホルダに保持される被保持部と、該被保持部と前記押圧部とを前記回転軸方向に相対変位可能に連繋する連繋部とを備えており、
前記クランパは、前記ディスクがクランプされる際には、前記連繋部が前記被保持部と前記押圧部とを初期位置に保った状態でクランプする、
ことを特徴とするクランプ装置。
【請求項２】
前記連繋部は、前記被保持部と前記押圧部とを前記回転軸方向に接近させた収縮状態では、前記両者間に離間方向の付勢力を及ぼし、
ディスクと内蔵クランパとを内包したカートリッジの前記ディスクがディスク受け部に載置される際には、前記連繋部は、前記カートリッジの外方に向かって退避しつつ収縮状態となる、
ことを特徴とする請求項１記載のクランプ装置。
【請求項３】
モータの駆動力で回転し情報媒体としてのディスクを受け合うディスク受け部に対向配置されたクランパと、
前記クランパを前記ディスク受け部の回転軸方向へ移動可能に保持するクランパホルダと、
該クランパホルダと前記ディスク受け部とを前記回転軸方向へ相対的に移動させ、前記クランパホルダと前記ディスク受け部との間に位置するディスクのクランプ状態とクランプ解除状態とを切り換える切換手段と、を備え、
前記クランパの少なくとも一部は磁性体で形成され、
前記クランパホルダは前記回転軸に直交する平面を有するとともに、前記クランプ解除状態で前記平面内での前記クランパの位置を規制する位置規制手段を備えており、
前記クランパホルダには、前記クランパを前記ディスク受け部に対し離間させる方向へ浮上させるクランパ浮上手段が設けられている、
ことを特徴とするクランプ装置。
【請求項４】
前記クランパホルダの前記平面上には、前記位置規制手段より外側に磁石が配設され、
前記クランプホルダの少なくとも前記磁石が配置された箇所の内側部分が磁性体で形成されており、該磁性体と前記磁石とで前記クランパ浮上手段が構成されていることを特徴とする請求項３記載のクランプ装置。
【請求項５】
前記クランパは、前記クランプ状態で前記ディスクを前記ディスク受け部に押圧する押圧部と、前記クランパホルダが前記ディスク受け部から前記回転軸方向へ相対的に離間する際に前記クランパホルダに保持される被保持部と、該被保持部と前記押圧部とを前記回転軸方向に相対変位可能に連繋する連繋部とを備えており、
前記クランパは、前記ディスクがクランプされる際には、前記連繋部が前記被保持部と前記押圧部とを初期位置に保った状態でクランプする、
ことを特徴とする請求項３又は４に記載のクランプ装置。
【請求項６】
前記連繋部は、前記被保持部と前記押圧部とを前記回転軸方向に接近させた収縮状態では、前記両者間に離間方向の付勢力を及ぼし、
ディスクと内蔵クランパとを内包したカートリッジの前記ディスクがディスク受け部に載置される際には、前記連繋部は、前記カートリッジの外方に向かって退避しつつ収縮状態となる、
ことを特徴とする請求項５記載のクランプ装置。
【請求項７】
情報媒体としてのディスクと、ディスクを内包した第１カートリッジと、ディスクと内蔵クランパとを内包した第２カートリッジの何れについても、ディスクの記録及び／又は再生を行うディスク装置であって、
モータの駆動力で回転し前記ディスクを受け合うディスク受け部に対して、前記ディスク又は第２カートリッジを押圧するクランプ装置として、前記請求項１から請求項６の何れか一に記載のクランプ装置を備えたことを特徴とするディスク装置。
【発明の詳細な説明】
【技術分野】
【０００１】
本発明は、例えば、映像用や音楽用あるいはコンピュータ・データ用等の情報記録媒体としてのディスクを、当該ディスクの記録再生時などにクランプするクランプ装置、及びかかるクランプ装置を備えたディスク装置に関する。
【背景技術】
【０００２】
近年、情報の記録再生分野におけるディジタル化の進展は著しく、情報記録媒体としてのディスクについても、従来の音声のみをディジタル録音する用途から動画像と音声とをディジタル録画する用途へと、その用途の拡大が急速に進展しつつある。このため、ディスクの記録容量のより一層の増大と、より高速での安定した記録及び／又は再生を可能とする記録再生技術の確立とが求められている。尚、本明細書において、「（ディスクについて）記録及び／又は再生」とは、「（ディスクへの情報の）記録および（ディスクに記録された情報の）再生の少なくとも何れか一方」を簡略化して表現したものである。
【０００３】
上記のような要請の高まりの中で、情報信号をディジタルで記録再生できる大容量のディスク型情報記録媒体として、所謂、記録型ＤＶＤ（ディジタル・バーサタイル・ディスク）が脚光を浴びている。
この記録型ＤＶＤとしては、ライトワンス記録（一回記録）タイプの所謂ＤＶＤ−Ｒディスクと、書換型の所謂ＤＶＤ−ＲＡＭディスク，ＤＶＤ−ＲＷディスクとが、広く知られており、この中でも特にＤＶＤ−ＲＡＭディスクは、大容量の情報記録媒体として、映像の録画あるいはコンピュータ・データの蓄積などの分野において普及が進んでいる。
【０００４】
これら記録型ＤＶＤは、光学的に情報の記録再生を行うものであるので、ゴミや汚れの影響を受け易く、その表面にゴミや指紋等が付着していると、安定した記録再生が不能となる場合がある。そこで、何れの記録型ＤＶＤについても、ＤＶＤ収納用のカートリッジが規格で定められており、特にＤＶＤ−ＲＡＭディスクの場合、このようなカートリッジ（以下、適宜、ＲＡＭカートリッジと称する）に収納した状態で使用するタイプのものもある。
【０００５】
また、近年では、高画質放送の開始に伴い、その映像を高画質で録画するためにより大容量の情報記録媒体が求められている。このため、従来の記録型ＤＶＤを記録再生する際に適用される赤色レーザ光よりも波長が短い青色レーザ光を適用することによって記録密度を飛躍的に向上させた、所謂、ブルーレイディスクと称される（以下、適宜、ＢＤと略称する）情報記録媒体の商品化が進められている。
【０００６】
このブルーレイディスクの場合、波長が短い青色レーザ光を適用することで信号がより微細化されて記録密度の向上がもたらされるのであるが、反面、信号の微細化に起因して、信号品質がゴミや汚れの影響をより一層受け易くなる。このため、従来の記録型ＤＶＤとは異なる形式のカートリッジ（以下、適宜、ＢＤカートリッジと称する）に収納して用いられる。
【０００７】
この収納カートリッジの形式の顕著な違いとしては、記録再生時などに当該ディスクをクランプするディスククランプ方式の違いが挙げられる。すなわち、ＤＶＤ−ＲＡＭディスクの場合には、ディスクの記録及び／又は再生を行うディスク装置内に設けられたディスククランプ機構がそのまま適用されるのであるが、これに対して、ブルーレイディスクの場合には、カートリッジ内へのゴミや埃などの侵入防止のために密閉性を高める関係上、記録再生時などにモータの駆動力で回転するディスク受け部に対しディスクをクランプするクランパがカートリッジに内蔵されている。
【０００８】
従って、これらディスクを取り扱うディスク装置としては、両方の形式のカートリッジに対応して、更には、カートリッジに収納されていない単体としてのディスク（所謂ベアディスク：裸ディスク）にも対応して、ディスクをクランプし記録再生を行えるようにすることが求められる。
【０００９】
このため、従来では、ディスク装置内に挿入されてきた情報記録媒体について、カートリッジの有無およびカートリッジの形状差を検出し、この検出結果に基づいて記録再生装置に装備されたクランパを移動させることにより、ＤＶＤ−ＲＡＭタイプ又はベアディスクであれば装置内のクランパを用い、ブルーレイディスクであれば装置内のクランパを退避させＢＤカートリッジ内のクランパを用いて、ディスクをクランプできるようにすることが考えられている。
【００１０】
しかしながら、この構成では、クランパ内包のＢＤカートリッジに入ったブルーレイディスクを取り扱う場合には、装置内のクランパをＢＤカートリッジと干渉しないようにカートリッジ上方（または下方）へ退避させる必要があり、この退避スペース及び退避機構が設けられる関係上、ディスク装置がそれだけ大型化するという難点がある。
【００１１】
特許文献１には、上述のようなカートリッジ入りのディスクを取り扱うことを特に意識したものではないが、大型化やコスト上昇を招くことなくディスクの高速回転化を図るものとして、クランパベース（クランパホルダ）に支持された上部クランパと、支持アームを介して上部クランパに対し軸方向へ移動可能に係止されたバッククランパとの間に、両クランパを離間させるように付勢するコイルバネを介装しておき、ディスククランプ時には、マグネットの磁力により上部クランパがコイルバネの付勢力に抗してターンテーブル（ディスク受け部）側に引き付けられることにより、上部クランパに係止されたバッククランパと前記ターンテーブルとの間にディスクを挟持するようにした構成が開示されている。
【特許文献１】特開２００３−１５７６００号公報
【発明の開示】
【発明が解決しようとする課題】
【００１２】
しかしながら、この構成では、上部クランパとバッククランパを相互に離間させる方向に付勢力を及ぼすコイルバネは、ディスククランプ時に圧縮状態となるが、このディスククランプ状態でクランパベースがクランパのフランジ部と干渉することを回避し、且つ、バッククランパとターンテーブルとの間にディスクを出入りさせる際におけるディスクの干渉を回避するためには、従来に比して、少なくともコイルバネの変位量に相当するだけクランパベースの位置を上方に設定しておく必要がある。
従って、かかる構成をカートリッジ入りのディスクのクランプ機構に適用することを考えた場合には、ディスクよりもかなり厚さがあるカートリッジとの干渉を回避するために、クランパベースは更に上方に設定する必要があり、ディスク装置の大型化が避けられないという問題が生じる。
【００１３】
以上のように、内蔵クランパを内包したカートリッジ（例えばＢＤカートリッジ）と内包しないカートリッジ（例えばＲＡＭカートリッジ）の両方の形式のカートリッジに対応して、更には、カートリッジに収納されていない所謂ベアディスクにも対応して、ディスクをクランプし記録再生を行えるようにするには、ディスク装置の大型化が避けられないという問題があった。
【００１４】
クランパは回転中にクランパホルダ側と干渉してはならないのは勿論であり、且つ、ディスク又はカートリッジをディスク受け部の上方に対して挿入／抜脱する際に、これらディスク又はカートリッジと干渉若しくは擦り合ってはならず、このような擦り合いを確実に回避するためにも、ディスク装置の大型化が避けられないという問題があった。
【００１５】
本発明は、かかる従来の技術課題に鑑みてなされたもので、ディスク装置の大型化を抑制しつつ、内蔵クランパを内包したカートリッジと内包しないカートリッジ及びベアディスクの何れにも対応してディスクをクランプし記録再生を行うことができるクランプ装置を提供し、また、これらディスク或いはカートリッジとクランパとの干渉若しくは擦り合いを確実に回避することができるクランプ装置を提供し、更に、かかるクランプ装置を備えたディスク装置を提供することを、基本的な目的とする。
【課題を解決するための手段】
【００１６】
このため、本願第１の発明に係るクランプ装置は、モータの駆動力で回転し情報媒体としてのディスクを受け合うディスク受け部に対向配置されたクランパと、前記クランパを前記ディスク受け部の回転軸方向へ移動可能に保持するクランパホルダと、該クランパホルダと前記ディスク受け部とを前記回転軸方向へ相対的に移動させ、前記クランパホルダと前記ディスク受け部との間に位置するディスクのクランプ状態とクランプ解除状態とを切り換える切換手段と、を備え、前記クランパは、前記クランプ状態で前記ディスクを前記ディスク受け部に押圧する押圧部と、前記クランパホルダが前記ディスク受け部から前記回転軸方向へ相対的に離間する際に前記クランパホルダに保持される被保持部と、該被保持部と前記押圧部とを前記回転軸方向に相対変位可能に連繋する連繋部とを備えており、前記クランパは、前記ディスクがクランプされる際には、前記連繋部が前記被保持部と前記押圧部とを初期位置に保った状態でクランプする、ことを特徴としたものである。
この構成では、クランパは、ディスクをクランプする際には、連繋部が被保持部と押圧部とを初期位置に保った状態で、つまり、被保持部と押圧部とを前記回転軸方向に相対的に接近する余地を残した状態で、当該ディスクをクランプする。
【００１７】
本願第１の発明に係るクランプ装置においては、前記連繋部は、前記被保持部と前記押圧部とを前記回転軸方向に接近させた収縮状態では、前記両者間に離間方向の付勢力を及ぼし、ディスクと内蔵クランパとを内包したカートリッジの前記ディスクがディスク受け部に載置される際には、前記連繋部は、前記カートリッジの外方に向かって退避しつつ収縮状態となることが好ましい。
この場合には、ディスクと内蔵クランパとを内包したカートリッジをクランプする際に、クランパは、連繋部が収縮状態で、つまり、被保持部と押圧部とが前記回転軸方向に接近し、連繋部が両者間に離間方向の付勢力を及ぼした状態で当該カートリッジをクランプするが、連繋部がカートリッジの外方に向かって退避しつつ収縮状態となることで、カートリッジ表面に傷を付けない程度のクランプ力で当該カートリッジをクランプする。
【００１８】
また、本願第２の発明に係るクランプ装置は、モータの駆動力で回転し情報媒体としてのディスクを受け合うディスク受け部に対向配置されたクランパと、前記クランパを前記ディスク受け部の回転軸方向へ移動可能に保持するクランパホルダと、該クランパホルダと前記ディスク受け部とを前記回転軸方向へ相対的に移動させ、前記クランパホルダと前記ディスク受け部との間に位置するディスクのクランプ状態とクランプ解除状態とを切り換える切換手段と、を備え、前記クランパの少なくとも一部は磁性体で形成され、前記クランパホルダは前記回転軸に直交する平面を有するとともに、前記クランプ解除状態で前記平面内での前記クランパの位置を規制する位置規制手段を備えており、前記クランパホルダには、前記クランパを前記ディスク受け部に対し離間させる方向へ浮上させるクランパ浮上手段が設けられている、ことを特徴としている。
この構成では、クランパが、クランパ浮上手段で前記ディスク受け部に対し離間させる方向へ浮上させられることにより、ディスクをクランパとディスク受け部との間に挿入する際には、クランパホルダでクランパを持ち上げて両者の間隔を広げなくても、支障なく挿入することが可能になる。
【００１９】
更に、本願第２の発明に係るクランプ装置においては、前記クランパホルダの前記平面上には、前記位置規制手段より外側に磁石が配設され、前記クランプホルダの少なくとも前記磁石が配置された箇所の内側部分が磁性体で形成されており、該磁性体と前記磁石とで前記クランパ浮上手段が構成されていることが好ましい。
この構成では、クランパホルダに磁石を配設すると共に、クランプホルダの少なくとも前記磁石を配置した箇所の内側部分を磁性体で形成するだけの簡単な構成で、磁力を利用してクランパを浮上させることができる。
【００２０】
この場合において、より好ましくは、前記クランパは、前記クランプ状態で前記ディスクを前記ディスク受け部に押圧する押圧部と、前記クランパホルダが前記ディスク受け部から前記回転軸方向へ相対的に離間する際に前記クランパホルダに保持される被保持部と、該被保持部と前記押圧部とを前記回転軸方向に相対変位可能に連繋する連繋部とを備えており、前記クランパは、前記ディスクがクランプされる際には、前記連繋部が前記被保持部と前記押圧部とを初期位置に保った状態でクランプする。
この構成では、クランパは、ディスクをクランプする際には、連繋部が被保持部と押圧部とを初期位置に保った状態で、つまり、被保持部と押圧部とを前記回転軸方向に相対的に接近する余地を残した状態で、当該ディスクをクランプする。
【００２１】
また、前記連繋部は、前記被保持部と前記押圧部とを前記回転軸方向に接近させた収縮状態では、前記両者間に離間方向の付勢力を及ぼし、ディスクと内蔵クランパとを内包したカートリッジの前記ディスクがディスク受け部に載置される際には、前記連繋部は、前記カートリッジの外方に向かって退避しつつ収縮状態となることがより好ましい。
この場合には、ディスクと内蔵クランパとを内包したカートリッジをクランプする際に、クランパは、連繋部が収縮状態で、つまり、被保持部と押圧部とが前記回転軸方向に接近し、連繋部が両者間に離間方向の付勢力を及ぼした状態で当該カートリッジをクランプするが、連繋部がカートリッジの外方に向かって退避しつつ収縮状態となることで、カートリッジ表面に傷を付けない程度のクランプ力で当該カートリッジをクランプする。
【００２２】
また、本願第３の発明に係るディスク装置は、情報媒体としてのディスクと、ディスクを内包した第１カートリッジと、ディスクと内蔵クランパとを内包した第２カートリッジの何れについても、ディスクの記録及び／又は再生を行うディスク装置であって、モータの駆動力で回転し前記ディスクを受け合うディスク受け部に対して、前記ディスク又は第２カートリッジを押圧するクランプ装置として、以上のクランプ装置の何れかを備えたことを特徴としている。
このディスク装置では、ディスク受け部に対しディスク又は第２カートリッジを押圧するに際して、以上のクランプ装置の何れかと同様の作用効果を奏することができる。
【発明の効果】
【００２３】
本願の第１の発明に係るクランプ装置によれば、クランパは、ディスクをクランプする際には、連繋部が被保持部と押圧部とを初期位置に保った状態で、つまり、被保持部と押圧部とを前記回転軸方向に相対的に接近する余地を残した状態で、当該ディスクをクランプすることができる。従って、ディスクと内蔵クランパとを内包したカートリッジをクランプする際には、被保持部と押圧部とが前記回転軸方向に相対的に接近することで、有効に対応することができる。すなわち、クランプ装置の大型化を特に招くことなく、ディスクと内蔵クランパとを内包したカートリッジのクランプ、並びにディスクのクランプの両方について、有効に対応することができる。
【００２４】
また、本願の第２の発明に係るクランプ装置によれば、クランパが、クランパ浮上手段で前記ディスク受け部に対し離間させる方向へ浮上させられることにより、ディスクをクランパとディスク受け部との間に挿入する際には、クランパホルダでクランパを持ち上げて両者の間隔を広げなくても、支障なく挿入することができるようになるので、従来に比してクランプ装置の小型化を図ることができる。
【００２５】
また、本願の第３の発明に係るディスク装置によれば、ディスク受け部に対しディスク又は第２カートリッジを押圧するに際して、第１又は第２の発明に係るクランプ装置の何れかと同様の作用効果を奏することができので、ディスクの大型化を特に招くことなく、ディスクと内蔵クランパとを内包したカートリッジのクランプ、並びにディスクのクランプの両方を取り扱うことができ、或いは、従来に比してディスク装置の小型化を図ることができる。
【発明を実施するための最良の形態】
【００２６】
以下、添付図面を参照しながら、本発明の実施形態について説明する。
図１は、本発明の実施形態に係るディスク装置に組み込まれるクランプ装置１の要部を示す斜視図である。この図に示すように、前記クランプ装置１は、モータ２に対して例えば上下方向に対向配置されたクランパ１０と、該クランパ１０を保持する略板状のクランパホルダ２０とを備えている。該クランパホルダ２０の略中央部には実質的に円形の開口部２１が形成されており、クランパ１０は、この開口部２１内に位置している。
【００２７】
前記モータ２の上端には、該モータ２の駆動力で回転し、情報媒体としてのディスク（図１の例では、カートリッジに収納されていない単体としての所謂ベアディスクＤｂ）を受け合うディスク受け部３が配設されており、前記クランパ１０はこのディスク受け部３に対向配置されている。
また、前記クランパホルダ２０は、クランパ１０を前記モータ２のディスク受け部３の回転軸方向、つまり回転軸Ｌｍの伸長方向（図１における矢印Ｙａ，Ｙｂ方向）へ移動可能に保持するものである。尚、クランプ装置１の組立状態においては、クランパホルダ２０の少なくとも上面２２は、前記回転軸Ｌｍに実質的に直交している。
【００２８】
モータ２の内部には、クランパ１０に矢印Ｙｂ方向の磁力を作用させるための磁石（不図示）が配設されており、この磁力の作用で、モータ２のディスク受け部３とクランパ１０との間にディスクＤｂを挟着することができるようになっている。
また、具体的には図示しなかったが、前記クランプ装置１には、クランパホルダ２０と前記ディスク受け部３とを前記回転軸Ｌｍの伸長方向へ相対的に移動させ、クランパホルダ２０とディスク受け部３との間に位置するディスクＤｂのクランプ状態とクランプ解除状態とを切り換える切換機構が設けられている。かかる切換機構としては、例えばリンク式のものなど、従来公知の種々の機構を適用することができる。
【００２９】
前記クランパ１０は、クランプ状態でディスクＤｂをディスク受け部３に押圧する押圧部１１と、クランパホルダ２０がディスク受け部３から前記回転軸Ｌｍの伸長方向へ相対的に離間する際にクランパホルダ２０に保持される被保持部１２と、該被保持部１２と前記押圧部１１とを前記回転軸Ｌｍの伸長方向に相対変位可能に連繋する連繋部１３とを備えている。
【００３０】
クランパ１０は、例えば薄肉の金属製板バネ材料を穴あけ及びプレス成形して得られたもので、全体形状が擂り鉢状の「ざる（笊）」に似た形状に形成されている。このクランパ１０に用いる板バネ材料としては、モータ２内の磁石（不図示）によりディスク受け部３側に引き寄せる磁力を受けるために磁性を有する必要があり、且つ強度および耐食性にも優れていることが好ましいので、例えばマルテンサイト系ステンレス鋼などが好適である。
尚、本実施形態では、クランパホルダ２０も、磁性を有し且つ強度および耐食性にも優れた材料であるマルテンサイト系ステンレス鋼を材料に用いて製作されている。
【００３１】
前記被保持部１２は、クランパ１０の上端部に位置し、所定幅の環状フランジとして形成され、その外径寸法はクランパホルダ２０の開口部２１の内径寸法よりも大きく設定されている。従って、クランパ１０がクランパホルダ２０に組み付けられた状態では、被保持部１２が前記開口部２１の周縁部分に係止されるので、クランパ１０はクランパホルダ２０の開口部２１から脱落することはない。
また、前記押圧部１１は、クランパ１０の下端部に位置し、その下面形状は、ディスク受け部３の上面形状に対応した形状に形成されている。この押圧部１１の外形寸法は、被保持部１２の内径寸法よりも小さく設定されている。
【００３２】
前記連繋部１３は、被保持部１２と押圧部１１とを連繋して円錐状のテーパ面を形成している。このテーパ面には、連繋部１３の弾性範囲内での収縮性を確保すべく、多数の穴部１３ｈが設けられている。これら穴部１３ｈは、前記回転軸Ｌｍの伸長方向について、より効果的に収縮性が得られるように、好ましくは、上下方向に長い矩形状に形成されている。
かかる穴部１３ｈを多数設けたことにより、連繋部１３は、その素材の弾性範囲内で所要の収縮性を確保でき、被保持部１２と押圧部１１とを前記回転軸Ｌｍの伸長方向に接近させた収縮状態では、両者間に離間方向の付勢力が作用するようになっている。また、より好ましくは、この連繋部１３は、後述するようにクランパホルダ２０と略平行な方向に退避しつつ収縮状態となることができる。
【００３３】
本実施形態では、クランパ１０は１枚物の板状またはシート状の素材を用いて一体物として構成されているが、後述するように、押圧部，被保持部及び連繋部の少なくとも何れか一つを別物として製作しておき、これを他の要素と組み立てて接合することによりクランパを構成するようにしても良い。
【００３４】
クランパホルダ２０の上面２２には、ディスクＤｂのクランプ解除状態で当該上面２２内でのクランパ１０の位置を規制する位置規制手段として、複数（本実施形態では、例えば３個）のガイド部２５が配設されている。これらガイド部２５は、クランプホルダ２０の前記開口部２１の周縁の近傍に、円周等配状に配置されている。
各ガイド部２５は、クランプホルダ２０の上面２２に立設された縦壁２５ａと、該縦壁２５ａの上端から内方へ略直角に突出する上壁２５ｂとで構成され、前記縦壁２５ａが、クランパ１０の被保持部１２の外周をガイドすることにより、クランプ解除状態で上面２２内でのクランパ１０の位置が規制される。尚、前記被保持部１２の（つまり、クランパ１０の）上方への移動は、前記上壁２５ｂによって規制される。
【００３５】
また、クランパホルダ２０の上面２２には、前記ガイド部２５より外側に複数（本実施形態では、例えば３個）のマグネット２７（磁石）が配設されている。尚、これらマグネット２７は、好ましくは、クランプホルダ２０の前記開口部２１の円周方向について、ガイド部２５の中間位置に円周等配状に配置されている。
クランパ１０及びクランパホルダ２０は、前述のように磁性を有するマルテンサイト系ステンレス鋼を材料に用いて製作されており、クランパホルダ２０の上面２２にマグネット２７を配設したことで、このマグネット２７によって生じる磁界により、クランパ１０を前記ディスク受け部３に対し離間させる方向（図１における矢印Ｙａ方向）へ浮上させる浮力を作用させることができる。
【００３６】
特に、クランプホルダ２０が磁性体で構成されている関係上、クランプホルダ２０の前記マグネット２７が配置された箇所の内側部分が磁性体であるので、マグネット２７の磁力による前記浮力が更に高められている。本実施形態では、クランプホルダ２０のマグネット２７配置箇所の内側部分とマグネット２７とで、クランパ１０を前記ディスク受け部３に対し離間させる方向へ確実に浮上させるクランパ浮上手段が構成されている。
【００３７】
図２は、前記クランパ浮上手段を説明するためのマグネット２７を含む部分拡大断面図である。
この図に示すように、マグネット２７をクランプホルダ２０の上面２２上に配置することにより、前述のようにクランプホルダ２０が磁性体であるので、開口部２１の周縁端部とマグネット２７の間に、図２において一点鎖線で模式的に示すような磁力線の流れを有する磁界が発生する。図２に示すように、マグネット２７を、そのＮ極がクランプホルダ上面２２に位置するように配設すると、磁界の方向は図２において一点鎖線矢印で示される方向となる。
【００３８】
この場合、磁性体で形成されたクランパホルダ２０のマグネット２７の内側部分２０ｙは、磁石と共に用いられて磁気回路の一部となる、所謂、継鉄（ヨーク：ｙｏｋｅ）として、特に、マグネット２７の磁束密度のある側（つまりクランパホルダ２０の上側）と反対側に位置する、所謂バックヨークとして作用し、マグネット２７による磁界の状態を調整することができる。
尚、本実施形態では、クランパホルダ２０全体を磁性体で構成しているが、クランパホルダ２０のマグネット２７の内側部分２０ｙのみを磁性体で構成し、他の部分は非磁性体で構成するようにしても良い。
【００３９】
前述のようにクランパ１０は磁性体であるので、この磁界による磁力の作用を受け、クランパ１０の上部には（特に、被保持部１２には）、図２において一点鎖線矢印で示される方向の磁力を受ける。この磁力の方向は、クランパ１０を上方に浮上させる方向（つまり、ディスク受け部３に対し離間させる方向：図１における矢印Ｙａ方向）であるので、前記磁界に基づく磁力がクランパ１０を浮上させる浮力として作用することになる。
つまり、クランパホルダ２０に配設したマグネット２７と、磁性体で構成されたクランプホルダ２０の少なくとも前記マグネット２７を配置した箇所の内側部分（本実施例では、クランプホルダ２０全体）とで、「クランパ浮上手段」が構成されている。
【００４０】
このようにしてクランパ１０に作用する浮力は、マグネット２７の強さやマグネット２７と開口部２１の周縁端部との距離などを、適宜、変更することによって調整が可能であり、この調整を適切に行うことで、ディスクＤｂのクランプ状態において、クランパ１０の被保持部１２が、ガイド部２５の上壁２５ｂ及びクランパホルダ上面２２に接触しないように設定することができる。
【００４１】
図３〜図５は、本実施形態に係るディスク装置で取り扱うことができる各種の記録媒体およびその収納カートリッジを示す説明図である。
図３（ａ）はカートリッジに収納されていない所謂ベアディスクＤｂの平面説明図、図３（ｂ）は該ベアディスクＤｂの側面説明図である。
また、図４（ａ）は、内蔵クランパは内包していないが内部にＤＶＤ−ＲＡＭディスクＤｒを収納したＲＡＭカートリッジＣ１の平面説明図、図４（ｂ）は該ＲＡＭカートリッジＣ１の側面説明図である。これらの図において、符号４１はカートリッジＣ１の開閉シャッタを示している。
更に、図５（ａ）は、内部にブルーレイディスクＢＤを収納するとともに内蔵クランパ４６を内包したＢＤカートリッジＣ２の平面説明図、図５（ｂ）は該ＢＤカートリッジＣ２の側面説明図である。
【００４２】
図４（ｂ）と図５（ｂ）を対比して良く分かるように、ＢＤカートリッジＣ２の場合、密閉された凸部４５内に内蔵クランパ４６を内包している関係上、ＲＡＭカートリッジＣ１よりも最大厚さがより厚くなっている。
尚、前記ＲＡＭカートリッジＣ１及びＢＤカートリッジＣ２は何れも、従来公知のものと同様の構造を備え、同様の作用をなすものであるので、これらの構造の詳細な説明および図示は省略する。
【００４３】
図６は、クランプ装置内に、つまりクランパとディスク受け部の間に、ディスクＤｂを挿入する直前の状態を示すクランプ装置の断面説明図で、（ａ）はマグネット２７を備えた本発明実施例を示し、（ｂ）はマグネットを備えていない比較例を示している。
図６（ａ）に示されるように、クランパホルダ上面２２上にマグネット２７を備えた本発明実施例では、同図において矢印で示す方向の磁力Ｊｃにより、クランパ１０の上部に（特に、被保持部１２に）浮力が作用しており、この浮力によって、クランパ１０は、その被保持部１２がガイド部２５の上壁２５ｂに当接するまで、矢印Ｙａの方向へ持ち上げられている。尚、クランパ１０には、モータ２内の磁石（不図示）による逆向きの（矢印Ｙｂ方向の）磁力Ｊｍが作用しているが、クランパホルダ２０がモータ２から所定間隔以上離間した非クランプ状態では、マグネット２７による浮力の方が勝るように設定されている。
【００４４】
このようにクランパ１０が浮上した状態であれば、クランパホルダ２０とディスク受け部３との間隔が一定でも、クランパ１０とディスク受け部３との間隔を、クランパホルダ上面２２とガイド部２５の上壁２５ｂとの間隔に相当するだけ大きくすることができる。従って、ディスクＤｂを矢印Ｙｃ方向へ移動させてクランパホルダ２０とディスク受け部３の間に挿入するに際して、両者２０，３を矢印Ｙａ−Ｙｂ方向へ相対的に離間させる必要なしに、ディスクＤｂがクランパホルダ２０及び／又はディスク受け部３と接触あるいは干渉することを回避するに足る所要間隔を確保することができる。
【００４５】
一方、図６（ｂ）に示されるように、クランパホルダ上面２２上にマグネット２７を備えていない比較例では、図６（ａ）におけるような浮力をクランパ１０に作用させる磁力Ｊｃは生じないので、クランパ１０は、その自重および／またはモータ２側の磁力Ｊｍにより、その被保持部１２がクランパホルダ上面２２に当接するまで、矢印Ｙｂの方向へ下降している。
【００４６】
このようにクランパ１０が下降した状態では、ディスクＤｂをクランパホルダ２０とディスク受け部３の間に挿入しようとすれば、ディスクＤｂがクランパホルダ２０及び／又はディスク受け部３と接触あるいは干渉することとなる。従って、この場合には、このような接触あるいは干渉を回避するに足る距離だけ、クランパ１０とディスク受け部３とを矢印Ｙａ−Ｙｂ方向へ相対的に離間させる必要がある。つまり、この分だけ、クランプ装置１の矢印Ｙａ−Ｙｂ方向サイズを大きくする必要があり、大型化を招くことになる。
【００４７】
しかるに、本発明実施例では、図６（ａ）に示されるように、クランパ１０の上部に（特に、被保持部１２に）浮力が作用し、この浮力によって、クランパ１０は、その被保持部１２がガイド部２５の上壁２５ｂに当接するまで、矢印Ｙａの方向へ持ち上げられており、ディスクＤｂを矢印Ｙｃ方向へ移動させてクランパホルダ２０とディスク受け部３の間に挿入するに際して、両者２０，３を矢印Ｙａ−Ｙｂ方向へ相対的に離間させる必要なしに、ディスクＤｂがクランパホルダ２０及び／又はディスク受け部３と接触あるいは干渉することを回避するに足る所要間隔を確保することができる。
【００４８】
すなわち、従来のように、クランパホルダ２０でクランパ１０を持ち上げて両者の間隔を広げなくても、支障なくディスクＤｂを挿入することができ、従来に比して、クランプ装置１の小型化を図ることができるのである。
特に、本実施形態では、クランパホルダ２０にマグネット２７を配設すると共に、クランプホルダ２０の少なくとも前記マグネット２７を配置した箇所の内側部分を（本実施例では、クランプホルダ２０全体を）磁性体で形成するだけの簡単な構成で、磁力を利用してクランパ１０を浮上させることができる。
【００４９】
図７は、図６（ａ）に示した本発明実施例に係るクランプ装置内に、つまりクランパとディスク受け部の間に、ディスクＤｂを挿入した状態を示すクランプ装置の断面説明図である。
この図７の状態は、前述の切換機構（不図示）によってディスクＤｂのクランプ状態に切り換えられた状態であり、クランパホルダ２０と前記ディスク受け部３とが、前記図６（ａ）の状態に比して、ディスク受け部３の前記回転軸Ｌｍの伸長方向へ相対的に接近するように移動させられている。
【００５０】
これにより、クランパ１０に作用する磁力について、モータ２内の磁石（不図示）による下向きの（矢印Ｙｂ方向の）磁力Ｊｍが、マグネット２７による上向きの（矢印Ｙａ方向の）磁力よりも大きくなり、ディスクＤｂがクランパ１０とディスク受け部３との間に挟着されるように設定されている。
【００５１】
このディスクＤｂのクランプ状態において、クランパ１０の連繋部１３は、前記回転軸Ｌｍの伸長方向について何らの変形しておらず、被保持部１２と押圧部１１とを初期位置に保つようになっている。そして、クランパ１０の被保持部１２は、ガイド部２５の上壁２５ｂ及びクランパホルダ上面２２の何れにも接触せず、クランプ１０支障なく高速回転できるように設定されている。尚、クランパ１０の前記被保持部１２の外周部とガイド部２５の縦壁２５ａの内面とは、クランパホルダ２０の開口部２１とモータ２のディスク受け部３とを適切に芯合わせすることにより、互いに接触することがないように設定されている。
【００５２】
図８は、クランプ装置内に、つまりクランパとディスク受け部の間に、内部にブルーレイディスクＢＤを収納するとともに内蔵クランパ４６を内包したＢＤカートリッジＣ２を挿入した状態を示すクランプ装置の断面説明図で、（ａ）は本発明実施例を示し、（ｂ）は比較例を示している。尚、両図で示される何れの例においても、クランパホルダ上面２２に、図６（ａ）で示したものと同様のマグネット２７が配設されている。
【００５３】
図８（ｂ）に示されるように、比較例のクランパ９０では、押圧部９１と被保持部９２とを連繋する連繋部９３は、剛性が高く、ディスク受け部３の回転軸Ｌｍの伸長方向（矢印Ｙａ−Ｙｂ方向）について、弾性による伸縮動作を行うことが殆どできない。このため、内蔵クランパ４６を内包する関係上厚さ方向のサイズが大きいＢＤカートリッジＣ２を挿入するには、その厚さが増す分だけクランパ９０を上方に持ち上げて、クランパ９０とディスク受け部３とを矢印Ｙａ−Ｙｂ方向へ相対的に離間させる必要がある。つまり、この分だけ、クランプ装置１の矢印Ｙａ−Ｙｂ方向サイズを大きくする必要があり、大型化を招くことになる。
【００５４】
これに対して、本発明実施例のクランパ１０では、図７に示すように、ディスクＤｂをクランプする際には、連繋部１３が被保持部１２と押圧部１１とを初期位置に保った状態で、当該ディスクＤｂをクランプしており、連繋部１３が弾性範囲内で収縮することにより、被保持部１２と押圧部１１とを前記回転軸Ｌｍの伸長方向（矢印Ｙａ−Ｙｂ方向）に相対的に接近する余地が残されている。
【００５５】
そして、図８（ａ）に示されるように、厚さ方向のサイズが大きいＢＤカートリッジＣ２が挿入された際には、連繋部１３が弾性範囲内で収縮することで、クランパ１０とディスク受け部３とを矢印Ｙａ−Ｙｂ方向へ相対的に離間させる必要なしに、ＢＤカートリッジＣ２を支障なく挿入することができ、また、その収縮状態で、被保持部１２と押圧部１１の間に離間方向の付勢力を作用させることができる。
更に、本実施形態では、このＢＤカートリッジＣ２が挿入され、内包されたディスクＢＤがディスク受け部３に載置される際には、前記連繋部１３は、ＢＤカートリッジＣ２の外方に向かって退避しつつ収縮状態となる。この場合、厚さ方向のサイズが大きいＢＤカートリッジＣ２をクランプする際に、クランパ１０は、連繋部１３が収縮状態で、つまり、被保持部１２と押圧部１１とが前記回転軸Ｌｍの伸長方向に接近し、連繋部１３が両者間に離間方向の付勢力を及ぼした状態で当該ＢＤカートリッジＣ２をクランプするが、連繋部１３がＢＤカートリッジＣ２の外方に向かって退避しつつ収縮状態となることで、ＢＤカートリッジＣ２の表面に傷を付けない程度のクランプ力で当該ＢＤカートリッジＣ２をクランプすることができる。
【００５６】
このように、本発明実施例に係るクランプ装置１によれば、ディスクＢＤと内蔵クランパ４６とを内包したカートリッジＣ２をクランプする際には、連繋部１３が収縮して被保持部１２と押圧部１１とが前記回転軸Ｌｍの伸長方向（矢印Ｙａ−Ｙｂ方向）に相対的に接近することで、有効に対応することができる。すなわち、クランプ装置１の大型化を特に招くことなく、ディスクＢＤと内蔵クランパ４６とを内包した厚いカートリッジＣ２のクランプ、並びにディスクＤｂのクランプの両方について、有効に対応することができるのである。
【００５７】
尚、以上の実施形態では、内蔵クランパは内包していないが内部にＤＶＤ−ＲＡＭディスクＤｒを収納したＲＡＭカートリッジＣ１の挿入及びクランパについての具体例は示していないが、この場合には、内蔵クランパを内包していないので、図６（ａ），（ｂ）及び図７で示したベアディスクＤｂの場合と実質的同様である。
【００５８】
本実施形態に係るディスク装置では、以上のような本発明実施例に係るクランプ装置１が組み込まれることにより、ディスク装置の大型化を特に招くことなく、ディスクＢＤと内蔵クランパ４６とを内包したＢＤカートリッジＣ２のクランプ、並びにＲＡＭカートリッジＣ１内のディスクＤｒ及びベアディスクＤｂのクランプを行うことができ、或いは、従来に比してディスク装置の小型化を図ることができる。
【００５９】
尚、以上の実施形態では、クランパ１０は１枚物の板状またはシート状の素材を用いて一体物として構成されているが、押圧部，被保持部及び連繋部の少なくとも何れか一つを別物として製作しておき、これを他の要素と組み立てて接合することによりクランパを構成するようにしても良い。
図９は、本発明の他の実施形態（第２実施形態）に係る組立構造とされたクランパの断面説明図で、（ａ）は初期状態を示し、（ｂ）は連繋部の収縮状態を示している。
【００６０】
図９（ａ）及び（ｂ）に示すように、本実施形態に係るクランパ５０は、円板状の上板５１と、該上板５１に周縁部分が固定された中間体５２と、該中間体５２に対して、矢印Ｙａ−Ｙｂ方向へ相対変位可能に保持された可動体６０と、上板５１と可動体６０の間に介装された圧縮バネ７０とを備えている。
前記中間体５２は、その外周部と内周部に環状のフランジ部５３，５４を有し、外周フランジ部５３の内縁端部と内周フランジ部５４の外縁端部とを傾斜面部５５で接続して構成されている。そして、外周フランジ部５３の上面と上板５１の下面とを接合することで、上板５１と中間体５２とが一体化されている。
【００６１】
前記可動体６０は、中間体５２の内周フランジ部５４に係合される係合フランジ部６１と、該係合フランジ部６１の内周よりも小径の底板部６２とを有し、係合フランジ部６１の内縁端部と底板部６２の外縁端部とを傾斜面部６３で接続して構成されている。
前記圧縮バネ７０は、例えば円筒コイル状に形成され、上板５１と可動体６０の底板部６２との間に介装され、両者を互いに離間する方向（矢印Ｙａ−Ｙｂ方向）へ付勢している。
【００６２】
本実施形態に係るクランパ５０では、可動体６０の底板部６２が「クランプ状態でディスクＤｂをディスク受け部３に押圧する押圧部」に相当し、中間体５２の外周フランジ部５３が「クランパホルダ２０がディスク受け部３から回転軸Ｌｍの伸長方向へ相対的に離間する際にクランパホルダ２０に保持される被保持部」に相当し、圧縮バネ７０が「被保持部と押圧部とを前記回転軸Ｌｍの伸長方向に相対変位可能に連繋する連繋部」に相当している。
【００６３】
尚、本実施形態に係るクランパ５０では、中間体５２の内周フランジ部５４と可動体６０の係合フランジ部６１とが係合する場合、内周フランジ部５４の内端面５４ｋと、係合フランジ６１の直下方で傾斜面部６３の外端に位置する外端面６３ｋとが嵌合することになるが、より好ましくは、両者の嵌合面５４ｋ，６３ｋは共に、クランパ５０の回転軸Ｌｋ（回転時は前記ディスク受け部３の回転軸Ｌｍと一致する）と平行をなす円筒面に形成されている。
かかる構成を採用したことにより、前記嵌合部分をテーパ嵌合とする場合に比して、クランパ５０の回転時には、遠心力の作用により中間体５２と可動体６０との位置ずれ（芯ずれ）を有効に規制することができる。
【産業上の利用可能性】
【００６４】
本発明は、例えば、映像用や音楽用あるいはコンピュータ・データ用等の情報記録媒体としてのディスクを、当該ディスクの記録再生時などにクランプするクランプ装置、及びかかるクランプ装置を備えたディスク装置において利用することができ、ディスク装置の大型化を抑制しつつ、内蔵クランパを内包したカートリッジと内包しないカートリッジ及びベアディスクの何れにも対応してディスクをクランプし記録再生を行うことができ、また、これらディスク或いはカートリッジとクランパとの干渉若しくは擦り合いを確実に回避することができる。
【００６５】
尚、本発明は、以上の実施態様に限定されるものではなく、その要旨を逸脱しない範囲において、種々の変更や改良を加え得るものであることは言うまでもない。
【図面の簡単な説明】
【００６６】
【図１】本発明の実施形態に係るディスク装置に組み込まれるクランプ装置の要部を示す斜視図である。
【図２】前記クランプ装置のクランパ浮上手段を説明するためのマグネットを含む部分拡大断面図である。
【図３】前記ディスク装置で取り扱われる記録媒体としてのベアディスクの説明図で、（ａ）はベアディスクの平面説明図、（ｂ）は該ベアディスクの側面説明図である。
【図４】前記ディスク装置で取り扱われる記録媒体としてのＲＡＭカートリッジの説明図で、（ａ）はＲＡＭカートリッジの平面説明図、（ｂ）は該ＲＡＭカートリッジの側面説明図である。
【図５】前記ディスク装置で取り扱われる記録媒体としてのブルーレイディスクの説明図で、（ａ）はブルーレイディスクの平面説明図、（ｂ）は該ブルーレイディスクの側面説明図である。
【図６】クランプ装置内へのディスク挿入の直前の状態を示すクランプ装置の断面説明図で、（ａ）はマグネットを備えた本発明実施例を示す説明図、（ｂ）はマグネットを備えていない比較例を示す説明図である。
【図７】前記本発明実施例に係るクランプ装置内へのディスク挿入状態を示すクランプ装置の断面説明図である。
【図８】クランプ装置内へのＢＤカートリッジの挿入状態を示すクランプ装置の断面説明図で、（ａ）は本発明実施例を示す説明図、（ｂ）は比較例を示す説明図である。
【図９】本発明の他の実施形態に係る組立構造のクランパの断面説明図で、（ａ）は初期状態を示す説明図、（ｂ）は連繋部の収縮状態を示しめす説明図である。
【符号の説明】
【００６７】
１  クランプ装置
２  モータ
３  ディスク受け部
１０，５０  クランパ
１１  押圧部
１２  被保持部
１３  連繋部
２０  クランパホルダ
２２  クランパホルダの上面
２５  ガイド部
２７  マグネット
４６  内蔵クランパ
５２  中間体
５３  中間体の外周フランジ部
６０  可動体
６２  可動体の底板部
７０  圧縮バネ
ＢＤ  ブルーレイディスク
Ｃ１  ＲＡＭカートリッジ
Ｃ２  ＢＤカートリッジ
Ｄｂ  ベアディスク
Ｄｒ  ＤＶＤディスク
Ｌｍ  ディスク受け部の回転軸
【図１】
2007128582.tif 000003
【図２】
2007128582.tif 000004
【図３】
2007128582.tif 000005
【図４】
2007128582.tif 000006
【図５】
2007128582.tif 000007
【図６】
2007128582.tif 000008
【図７】
2007128582.tif 000009
【図８】
2007128582.tif 000010
【図９】
2007128582.tif 000011